(57)【要約】      （修正有）【課題】操作上の利便性が増すとともに複数人での作業という不便さが解消される解体可能式パネルライトを提供する。【解決手段】解体可能式パネルライトは外側フレーム１００、複数の発光ユニット４０及び磁性部材４５を含み、外側フレーム１００は解体可能式カバープレート２０と解体可能式カバープレート２０の両側にそれぞれ配置される複数の受けユニット２１とを含む。磁性部材４５は、外側フレーム１００における収容溝の内側壁面に吸着するとともに受けユニット２１に吸着し、複数の発光ユニット４０が外側フレーム１００に設けられ各発光ユニット４０が受けユニット２１に配置されるブラケット４１、ブラケット４１に設けられる光源板及びブラケット４１に設けられて光源板を被覆するランプシェード４３を含む。発光ユニット４０、はモジュール化設計され磁性部材４５を用いて外側フレーム１００に吸着し、メンテナンスや交換が一層容易となる。【選択図】図７
2019067742.tif 000002
【特許請求の範囲】
【請求項１】
外側フレーム、複数の発光ユニット及び磁性部材を含み、
前記外側フレームは、収容溝を含み、
前記外側フレームは、前記収容溝に設けられる解体可能式カバープレートと、前記解体可能式カバープレートの両側にそれぞれ配置される複数の受けユニットとを含み、
前記磁性部材は、前記外側フレームにおける前記収容溝の内側壁面に吸着するとともに、前記受けユニットに吸着し、前記受けユニットの両側におけるアーム端部が対向するよう折り曲げられてフック部をなしており、
複数の発光ユニットが、前記外側フレームの前記収容溝に設けられ、
各前記発光ユニットが、前記受けユニットに配置されるブラケット、前記ブラケットに設けられる光源板、及び前記ブラケットに設けられて前記光源板を被覆するランプシェードを含み、
前記受けユニットにおける２つのフック部が前記ブラケットの両側を挟持することを特徴とする解体可能式パネルライト。
【請求項２】
前記外側フレームは、前記収容溝に設けられて前記解体可能式カバープレートにより被覆される電源供給装置を含むことを特徴とする請求項１記載のパネルライト。
【請求項３】
前記外側フレームは、前記収容溝に設けられて前記解体可能式カバープレートにより被覆される配線ユニットを含むことを特徴とする請求項１記載のパネルライト。
【請求項４】
各前記発光ユニットは、前記ブラケットの両端にそれぞれ設けられる複数のサイドカバーを含むことを特徴とする請求項１記載のパネルライト。
【請求項５】
前記外側フレームは、複数の配線挿通孔と、前記複数の配線挿通孔に固定されるリングユニットとを含むことを特徴とする請求項１記載のパネルライト。
【請求項６】
前記外側フレームは、前記収容溝に設けられて前記解体可能式カバープレートにより被覆される固定ブラケットを含むことを特徴とする請求項１記載のパネルライト。
【請求項７】
前記外側フレームは安全紐を含み、
前記安全紐は、一端が前記解体可能式カバープレートに固定されるとともに、他端が前記固定ブラケットに固定されることを特徴とする請求項６記載のパネルライト。
【発明の詳細な説明】
【技術分野】
【０００１】
本発明は、照明器具に関し、特に、業務用の解体可能式パネルライトに関する。
【背景技術】
【０００２】
効率的な固体照明源の出現にともなって、ＬＥＤは、主として反対方向にドープされた半導体層間に挿入される半導体材料の１又は複数の活性領域を含む固体装置として、電気エネルギーを光に変換可能となった。ドープ層にバイアスをかけると、正孔と電子が活性領域に注入され、当該活性領域において再結合することで光が発生する。光は活性領域で発生すると、ＬＥＤの表面から出射される。
【０００３】
一般的に、軽鉄フレームからなる天井板に取り付けられる照明機器の多くでは、固定ブラケット式のソケットを使用している。当該固定ブラケット式ソケットには複数の蛍光灯が取り付けられ、更に、軽鉄フレームのうちＴ字梁により交差して形成される枠内に固定ブラケット式ソケットが嵌め込まれる。しかし、蛍光灯は発光効果が良好とはいえないし、固定ブラケット式ソケットは蛍光灯からの熱を発散しにくい作りになっている。また、固定ブラケット式ソケットが交差して形成される集光構造は複雑であり、不要な製造コストの高騰を招いている。
【０００４】
一方で、埋込型の固定フレームが世界中のビジネススペースやオフィススペース、工業スペースに広く普及しており、埋込型ライトの天井板への装着や天井板からの吊り下げを可能としている。通常、埋込型ライトは天井板への嵌め込みが可能であり、背面が天井板上方の通気領域に突出するようになっている。
【０００５】
従来のパネルライトを開示する文献として下記の特許文献１がある。特許文献１に開示のパネルライトは、機器の動作状態に応じて発光する発光素子と、前記発光素子から出力される光信号外部に出力するため略透明なパネルライトとを備え、前記パネルライトに少なくとも２つの略直交する発光面を備えている。特許文献１に開示のパネルライトによれば、光の発光確認範囲を１８０°以上に広くし、発光状態の確認を容易に行うことができる。
【先行技術文献】
【特許文献】
【０００６】
【特許文献１】特開平１１−２７２２１３号公報
【発明の概要】
【発明が解決しようとする課題】
【０００７】
従来の埋込型ライトには、埋込型ライトの長さ方向にわたる長尺状の蛍光灯が収容されている。従来の電球式埋込型ライトにおける消費電力が大きく、高温になるとの課題については、関連業界で埋込型のＬＥＤライトが開発された結果、ＬＥＤの特性を利用することで埋込型ライトの省電力、使用時の低温化との利点を発揮可能となっている。しかし、従来の埋込型ライトでは長尺状の蛍光灯がモジュール化されずにそれぞれ独立しており、メンテナンスや取り換えに不都合である。そのため、如何にして従来の構造的課題を解決するかが、当業者にとって喫緊の課題となっている。
【課題を解決するための手段】
【０００８】
本発明のパネルライトは、外側フレームと複数の発光ユニットを含み、外側フレームが収容溝を含む。前記外側フレームは、前記収容溝に設けられる解体可能式カバープレートと、前記解体可能式カバープレートの両側にそれぞれ配置される複数の受けユニットを含む。前記受けユニットは、磁性部材を用いて前記外側フレームにおける前記収容溝の内側壁面に吸着する。複数の発光ユニットは前記外側フレームの前記収容溝に設けられる。各前記発光ユニットは、前記受けユニットに配置されるブラケット、前記ブラケットに設けられる光源板、及び前記ブラケットに設けられて前記光源板を被覆するランプシェードを含む。
【０００９】
実施例によっては、前記外側フレームは、前記収容溝に設けられて前記解体可能式カバープレートにより被覆される固定ブラケットを含む。
【００１０】
実施例によっては、前記外側フレームは安全紐を含み、前記安全紐は、一端が前記解体可能式カバープレートに固定されるとともに、他端が前記固定ブラケットに固定される。
【００１１】
実施例によっては、前記外側フレームは、前記収容溝に設けられて前記解体可能式カバープレートにより被覆される電源供給装置を含む。
【００１２】
実施例によっては、前記外側フレームは、前記収容溝に設けられて前記解体可能式カバープレートにより被覆される配線ユニットを含む。
【００１３】
実施例によっては、各前記発光ユニットは、前記ブラケットの両端にそれぞれ設けられる複数のサイドカバーを含む。
【００１４】
実施例によっては、前記外側フレームは、複数の配線挿通孔と、前記複数の配線挿通孔に固定されるリングユニットを含む。
【発明の効果】
【００１５】
本発明の解体可能式パネルライトは天井板に装着される照明機器であり、モジュール化されたＬＥＤ電源とＬＥＤ光源が解体可能に設計されている。また、発光ユニットは、モジュールのメンテナンスや交換が容易となるよう、磁性部材を用いて吸着される。
【００１６】
本発明の解体可能式パネルライトは、照明器具の中央に解体可能式カバープレートが設けられており、解体可能式カバープレートによって電源供給装置が被覆されている。解体可能式カバープレートは安全懸架用の安全紐によって保護されているため、メンテナンス過程で取り外される際に地面に落下しないよう吊り下げ可能である。よって、操作上の利便性が増すとともに、複数人での作業という不便さが解消される。即ち、ＬＥＤ光源のメンテナンス作業を一人で実行可能となり、解体可能式カバープレートを人手により地面に受け渡して放置する必要がなくなる。
【００１７】
発光ユニットのライト本体は運搬しやすい設計となっている。発光ユニットは解体後に単独で梱包可能なほか、複数を重ねて梱包することも可能なため、梱包後の体積がより小さくなり、運搬コストが削減される。
【図面の簡単な説明】
【００１８】
【図１】本発明の外観図である。
【図２】本発明の側面断面図である。
【図３】本発明の発光ユニット交換時の側面図である。
【図４】本発明の一部ユニットの外観図である。
【図５】本発明の一部ユニットの平面図である。
【図６】本発明の分解図（１）である。
【図７】本発明の分解図（２）である。
【発明を実施するための形態】
【００１９】
以下に、実施形態を挙げて本発明の詳細な特徴及び利点につき詳述する。当業者であれば、ここに詳述した内容から本発明の技術を理解し、実施することが可能である。また、本明細書に開示の内容、請求項及び図面から、当業者は本発明にかかる目的及び利点を理解可能である。
【００２０】
以下の説明では、本発明の実施形態である図１〜図７を参照する。図１は外観図、図２は側面断面図、図３は発光ユニット交換時の側面図、図４は一部ユニットの外観図、図５は一部ユニットの平面図、図６は分解図（１）、図７は分解図（２）である。本実施例では、パネルライトが外側フレーム１００及び複数の発光ユニット４０を含む。
【００２１】
本実施形態の解体可能式パネルライトは、天井板に装着される照明機器として使用される。パネルライトは、モジュール化されたＬＥＤ電源とＬＥＤ光源が解体可能に設計されている。また、発光ユニットは、モジュールのメンテナンスや交換が容易となるよう、磁性部材４５を用いて吸着される。
【００２２】
解体可能式パネルライトは、照明器具の中央に解体可能式カバープレート２０が設けられており、解体可能式カバープレート２０によって電源供給装置６０が被覆されている。解体可能式カバープレート２０は安全懸架用の安全紐５０によって保護されているため、メンテナンス過程で取り外される際に地面に落下しないよう吊り下げ可能である。よって、操作上の利便性が増すとともに、複数人での作業という不便さが解消される。即ち、ＬＥＤ光源のメンテナンス作業を一人で実行可能となり、解体可能式カバープレート２０を人手により地面に受け渡して放置する必要がなくなる。
【００２３】
発光ユニット４０のライト本体は運搬しやすい設計となっている。発光ユニット４０は解体後に単独で梱包可能なほか、複数を重ねて梱包することも可能なため、梱包後の体積がより小さくなり、運搬コストが削減される。
【００２４】
前記外側フレーム１００は金属材質からなる薄型の板材であって、一方の側に凹陥形状が形成された外側フレーム部材である。即ち、外側フレーム１００は収容溝を含む。前記外側フレーム１００は、前記収容溝に設けられる解体可能式カバープレート２０と、前記解体可能式カバープレート２０の両側にそれぞれ配置される複数の受けユニット２１を含む。
【００２５】
解体可能式カバープレート２０は金属材質からなる薄型の板材である。解体可能式カバープレート２０は側面視の外観が略Ｖ字形状をなしている。また、解体可能式カバープレート２０両側の弾性延伸片は、端部が外側フレーム１００の内側壁面における係合孔に係接可能とされ、使用時に押圧することで取り外し可能となっている。受けユニット２１は側面視の外観が略Ｕ字形状をなしている。受けユニット２１の両側におけるアーム端部は対向するよう折り曲げられてフック部２１１をなしており、発光ユニット４０のブラケット４１を挟持するために用いられる。
【００２６】
受けユニット２１は、磁性部材４５を用いて前記外側フレーム１００における前記収容溝の内側壁面に吸着する。そのため、発光ユニット４０のモジュールメンテナンスや交換が容易となり、全ての部材を個別に取り外してメンテナンスや交換を実施する必要がなくなる。また、ネジ類を用いた繁雑な手順も不要となる。
【００２７】
複数の発光ユニット４０は、前記外側フレーム１００の前記収容溝に設けられる。各前記発光ユニット４０は、前記受けユニット２１に配置されるブラケット４１、前記ブラケット４１に設けられる光源板４２、及び前記ブラケット４１に設けられて前記光源板４２を被覆するランプシェード４３を含む。光源板４２は、光を出射するための複数組のＬＥＤチップを備える。
【００２８】
ブラケット４１の両側にはジブが延伸している。ランプシェード４３は側面視の外観が略円弧状の突出シェード体をなしている。また、ランプシェード４３の両側にはＣ字形状のクランプが対向するよう形成されており、ジブがＣ字形状のクランプ内に固定される。
【００２９】
各ブラケット４１はアルミ型材である。また、各ランプシェード４３はフォグ化に用いられるため、グレアが発生することがない。これに対し、従来のパネルライトでは出射光が目を刺激しやすかった。
【００３０】
各前記発光ユニット４０は、前記ブラケット４１の両端にそれぞれ設けられる複数のサイドカバー４４を含む。各サイドカバー４４はブラケット４１とランプシェード４３の両端に貼り合わされて光源板４２を密封するため、湿気が進入しやすいとの事態が回避される。
【００３１】
外側フレーム１００は、前記収容溝に設けられる固定ブラケット３０を含む。固定ブラケット３０は前記解体可能式カバープレート２０に被覆される。また、固定ブラケット３０は長尺状の板金材であり、外側フレーム１００の内壁面に固定されている。ここで、前記外側フレーム１００は安全紐５０を含む。安全紐５０は繊維紐やプラスチック紐としてもよいし、電線をラッピングして用いてもよい。
【００３２】
即ち、前記安全紐５０は、一端が前記解体可能式カバープレート２０に固定されており、他端が前記固定ブラケット３０に固定されている。解体可能式カバープレート２０は、取り外されると安全紐５０によって外側フレーム１００の下方に吊り下げられる。また、解体可能式カバープレート２０を再び装着したい場合には、解体可能式カバープレート２０を素早く引き上げることで取り付け可能なため、組み付けにかかる時間と利便性が向上する。
【００３３】
外側フレーム１００は、前記収容溝に設けられる電源供給装置６０を含む。電源供給装置６０は前記解体可能式カバープレート２０に被覆される。また、電源供給装置６０は伝送線に接続されて電力を供給する。
【００３４】
外側フレーム１００は、前記収容溝に設けられる配線ユニット７０を含む。配線ユニット７０は前記解体可能式カバープレート２０に被覆される。また、配線ユニット７０は伝送線と電源供給装置６０を接続して電力を供給する。
【００３５】
外側フレーム１００は、複数の配線挿通孔２３と、前記複数の配線挿通孔２３に固定されるリングユニット２２を含む。リングユニット２２は、配線挿通孔２３へネズミや虫類が進入して伝送線が食害を受け、複数の発光ユニット４０の照明動作に影響するとの事態が回避されるよう、配線挿通孔２３を密封する。
【００３６】
複数の緊締ユニット８０は、安全紐５０の一端を解体可能式カバープレート２０に固定し、安全紐５０の他端を前記固定ブラケット３０に固定するように、安全紐５０の両端をそれぞれ緊締すべく用いられる。また、複数の緊締ユニット８０によって電源供給装置６０と配線ユニット７０が外側フレーム１００の内壁面に緊締されるとともに、複数の緊締ユニット８０によって固定ブラケット３０が外側フレーム１００の内壁面に固定される。
【００３７】
パネルライトは、モジュール化されたＬＥＤ電源とＬＥＤ光源が解体可能に設計されている。また、発光ユニット４０は、モジュールのメンテナンスや交換が容易となるよう、磁性部材４５を用いて吸着される。照明器具の中央において電源供給装置６０を被覆する解体可能式カバープレート２０は、安全懸架用の安全紐５０によって保護されている。そのため、メンテナンス過程において解体可能式カバープレート２０を人手により地面に受け渡して放置する必要がなくなり、解体に要する労働力が削減される。また、発光ユニット４０のライト本体は運搬しやすい設計となっている。発光ユニット４０は解体後に単独で梱包可能なほか、複数を重ねて梱包することも可能なため、梱包後の体積がより小さくなり、運搬コストが削減される。
【００３８】
上記実施形態は、当業者が本発明の内容を十分に理解して実施可能となるよう、本発明の技術思想及び特徴を説明するためのものにすぎず、本発明の請求の範囲を限定する主旨ではない。即ち、本発明が開示する精神に基づき実施される等価の変形又は捕捉もまた、本発明の請求の範囲に含まれる。
【００３９】
以上述べたように、本発明は従来技術を超越することで所望の更なる効果を実現している。本発明は当業者によって容易に想起し得ず、進歩性及び実用性を有する。
【符号の説明】
【００４０】
１００  外側フレーム
２０    解体可能式カバープレート
２１    受けユニット
２１１  フック部
２２    リングユニット
２３    配線挿通孔
３０    固定ブラケット
４０    発光ユニット
４１    ブラケット
４２    光源板
４３    ランプシェード
４４    サイドカバー
４５    磁性部材
５０    安全紐
６０    電源供給装置
７０    配線ユニット
８０    緊締ユニット
【図１】
2019067742.tif 000003
【図２】
2019067742.tif 000004
【図３】
2019067742.tif 000005
【図４】
2019067742.tif 000006
【図５】
2019067742.tif 000007
【図６】
2019067742.tif 000008
【図７】
2019067742.tif 000009